(57)【要約】【課題】冷媒不足の度合いを正確に判定することができる空気調和機を提供することを目的とする。【解決手段】圧縮機１５と、四方弁１６、室外側熱交換器１７、減圧膨張弁１８、室内側熱交換器１９を環状に接続して冷媒回路を構成し、室内送風機２０を所定の回転数で運転し、圧縮機１５を、室内温度と吹出空気温度との温度差が所定値となる回転数に制御するので、圧縮機の回転数を検出することにより冷媒不足の度合いを確実に判定することができる。【選択図】図１
2006194552.tif 000002
【特許請求の範囲】
【請求項１】
圧縮機と、四方弁、室外側熱交換器、減圧膨張弁、室内側熱交換器を環状に接続し冷媒回路を構成し、室内送風機を備え、前記室内送風機を所定の回転数で運転し、前記圧縮機を、室内温度と吹出空気温度との温度差が所定値となる回転数に制御し、圧縮機の回転数により、冷媒不足の度合いを判定することを特徴とした空気調和機。
【請求項２】
圧縮機と、四方弁、室外側熱交換器、減圧膨張弁、室内側熱交換器を環状に接続し冷媒回路を構成し、室内送風機を備え、前記室内送風機を所定の回転数で運転し、前記圧縮機を、室内温度と室内熱交換器との温度差が所定値となる回転数に制御し、圧縮機の回転数により、冷媒不足の度合いを判定することを特徴とした空気調和機。
【請求項３】
所定時間毎に請求項１または２に記載した運転を行なうことを特徴とした空気調和機。
【請求項４】
コントローラーからの入力により請求項１または２に記載した運転を行なうことを特徴とした空気調和機。
【請求項５】
冷媒不足の判定結果を表示器に表示することを特徴とした請求項１〜４のいずれか１項に記載の空気調和機。
【発明の詳細な説明】
【技術分野】
【０００１】
本発明は冷媒の不足を判定する空気調和機に関するものである。
【背景技術】
【０００２】
従来、この種の空気調和機は、圧縮機への入力電流を検出する入力電流検出手段を有し、冷房運転中の入力電流が許容値を超えないように圧縮機の運転周波数を制御することにより、圧縮機を過負荷状態から保護するようにしてなり、前記室内熱交換器の中間部に温度検出手段を設け、同温度検出手段により検出される冷房運転時の中間温度が所定値以上で、所定時間継続したとき、冷媒不足と判定し圧縮機の運転を停止させるようにしている（例えば、特許文献１参照）
図４は、特許文献１に記載された従来の空気調和機を示すものである。図４に示すように、圧縮機１、四方弁２、室外熱交換器３、絞り手段４、室内熱交換器５からなる冷凍サイクルと、圧縮機１への入力電流を検出する入力電流検出手段１１から構成されている。
【特許文献１】特開平８−２６１５４３号公報
【発明の開示】
【発明が解決しようとする課題】
【０００３】
しかしながら、前記従来の構成では、通常の冷房運転において冷媒不足を判定するため、冷媒が圧縮機の保護が必要な量まで不足していないと冷媒不足と判定することができない。
【０００４】
一方、空気調和機の使用者に対しては、圧縮機の保護が必要な量まで冷媒が不足していなくても、設計上の性能が確保できる量より冷媒が不足すると、冷えが鈍くなり本来の性能を提供できないという課題を有していた。
【０００５】
本発明は、前記従来の課題を解決するもので、設計上の性能が確保できる量より冷媒が不足したことを判定できる空気調和機を提供することを目的とする。
【課題を解決するための手段】
【０００６】
前記従来の課題を解決するために、本発明の空気調和機は、室内送風機の回転数を一定とし、室内温度と吹出空気温度との温度差が所定値となるように圧縮機の回転数を制御する。これによって、圧縮機の回転数が所定値より高いとき、冷媒不足と判定することができる。
【０００７】
また、本発明の空気調和機は、室内送風機の回転数を一定とし、室内温度と室内熱交との温度差が所定値となるように圧縮機の回転数を制御する。これによって、圧縮機の回転数が所定値より高いとき、冷媒不足と判定することができる。
【発明の効果】
【０００８】
本発明の空気調和機は、冷媒不足の度合いを正確に判定することができる。
【発明を実施するための最良の形態】
【０００９】
第１の発明は、圧縮機と、四方弁、室外側熱交換器、減圧膨張弁、室内側熱交換器を環状に接続し冷媒回路を構成し、室内送風機を備え、前記室内送風機を所定の回転数で運転し、前記圧縮機を、室内温度と吹出空気温度との温度差が所定値となる回転数に制御することにより、冷媒が不足するほど圧縮機の回転数が高くなるので、圧縮機の回転数で冷媒不足の度合いを判定することをができる。
【００１０】
第２の発明は、圧縮機と、四方弁、室外側熱交換器、減圧膨張弁、室内側熱交換器を環状に接続し冷媒回路を構成し、室内送風機を備え、前記室内送風機を所定の回転数で運転し、前記圧縮機を、室内温度と室内熱交換器との温度差が所定値となる回転数に制御することにより、冷媒が不足するほど圧縮機の回転数が高くなるので、圧縮機の回転数で冷媒不足の度合いを判定することをができる。
【００１１】
第３の発明は、特に、第１または第２の発明の運転を所定時間毎に行なうようにしたので、定期的に正確な冷媒の不足度合いを確認することができる。
【００１２】
第４の発明は、特に、第１または第２の発明の運転を空気調和機のコントローラーからの入力で開始することを特徴としたもので、空気調和機の使用者やメンテナンス者が冷媒不足の度合いを必要なときに確認することができる。
【００１３】
第５の発明は、特に、第１〜４の発明の空気調和機において、冷媒不足の判定結果を表示器に表示するようにしたので、空気調和機の使用者やメンテナンス者に対し、冷媒不足度合いの判定結果を知らせることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の構成を示すものである。
圧縮機１５は周波数可変圧縮機で、その電源周波数を変化させることにより圧縮機の回転数を変化させ、容量を制御するものである。
【００１６】
この圧縮機１５から吐出された冷媒は、四方弁１６をとおり、冷房時は室外側熱交換器１７で液化凝縮され、減圧膨張弁１８で減圧膨張し、室内側熱交換器１９で吸熱し、暖房時は室内側熱交換器１９で液化凝縮され、減圧膨張弁１８で減圧膨張し、室外側熱交換器１７で吸熱し、四方弁１６を経て圧縮機１５へ吸入される。
【００１７】
２０は室内送風機、２１は室内機の吸込み空気温度を検知する室内温度センサ、２２は室内機の吹出し空気温度を検知する吹出温度センサ、２３は圧縮機１５回転数を制御する制御装置で圧縮機１５の運転時間をカウントする回路も備えている。
【００１８】
２４は室内熱交換器の中央の温度を検知する室内熱交センサ、２５は空気調和機のコントローラで冷媒不足度合い判定結果を表示する表示器の機能も備えている。
【００１９】
以上のように構成された空気調和機について、以下その動作、作用を説明する。
【００２０】
室内送風機の回転数を一定にし、室内温度と吹出温度との差が一定になるように圧縮機の回転数を制御すると、室内側の空調能力は一定の値となる。
【００２１】
従って、冷媒が不足すると循環量が低下し、同じ空調能力にするために圧縮機の回転数が高くなる。
【００２２】
本発明はこの特性を用いて冷媒の不足度合いを判定することを特徴としている。
【００２３】
図２は本発明の実施の形態１におけるフローチャートである。
【００２４】
コントローラー２５での冷媒不足判定運転開始の入力、または制御装置２３で冷媒不足判定運転開始の所定時間になると、制御装置２３で入力を受信し（ＳＴＥＰ１）、室内送風機２０を一定の所定回転数で運転し（ＳＴＥＰ２）、圧縮機１５を吹出温度センサ２２の検出値が室内温度センサ２１の検出値と所定の差となる回転数に制御する（ＳＴＥＰ３）。
【００２５】
所定時間が経過するまでＳＴＥＰ３の運転を継続させる（ＳＴＥＰ４）。
【００２６】
所定時間経過後の圧縮機１５の回転数を所定値と比較し冷媒量の判定を行なう（ＳＴＥＰ５）。
【００２７】
圧縮機１５の回転数が所定値以下の場合は冷媒不足なしと判定し結果をコントローラー２５の表示器に表示し（ＳＴＥＰ６）、所定値よりが高い場合に冷媒不足と判定して結果をコントローラー２５の表示器に表示させる（ＳＴＥＰ７）。
【００２８】
以上のように、本実施の形態においては、一定の空調能力で運転するときの圧縮機１５の回転数において冷媒不足を判定することにより、冷媒不足の度合いを正確に判定することができる。
【００２９】
また、本実施の形態では、圧縮機１５の回転数に対する判定をより細かくすることにより、冷媒不足なし、運転できる範囲で冷媒不足、冷媒不足により機器が損傷する可能性あり、の判定ができ、冷媒不足に対する的確な処置を行なうための情報を提供することもできる。
【００３０】
（実施の形態２）
本発明の第２の実施の形態の空気調和機の構成は第１の実施例と同一であり、その説明を省略する。
【００３１】
室内熱交温度は冷房時は蒸発温度、暖房時は凝縮温度になる。
【００３２】
従って、室内送風機の回転数を一定にし、室内熱交温度と室内温度との差が一定になるように圧縮機の回転数を制御すると、室内側の空調能力は一定の値となる。
【００３３】
本発明はこの特性を用いて冷媒の不足度合いを判定することを特徴としている。
【００３４】
図３は、本発明の第２の実施の形態の空気調和機のフローチャートである。
【００３５】
コントローラー２５で冷媒不足判定運転開始の入力、または制御装置２３で冷媒不足判定運転開始の所定時間になると、制御装置２３で信号を受信し（ＳＴＥＰ１）、室内送風機２０を一定の所定回転数で運転し（ＳＴＥＰ２）、圧縮機１５を室内熱交センサ２４の検出値が室内温度センサ２１の検出値と所定の差となる回転数に制御する（ＳＴＥＰ３）。
【００３６】
所定時間が経過するまでＳＴＥＰ３の運転を継続させる（ＳＴＥＰ４）。
【００３７】
所定時間経過後の圧縮機１５の回転数を所定値と比較し冷媒量の判定を行なう（ＳＴＥＰ５）。
【００３８】
圧縮機１５の回転数が所定値以下の場合は冷媒不足なしと判定し結果をコントローラー２５の表示器に表示し（ＳＴＥＰ６）、所定値よりが高い場合に冷媒不足と判定して結果
をコントローラー２５の表示器に表示させる（ＳＴＥＰ７）。
【００３９】
以上のように、本実施の形態においては、一定の空調能力で運転するときの圧縮機１５の回転数において冷媒不足を判定することにより、冷媒不足の度合いを正確に判定することができる。
【産業上の利用可能性】
【００４０】
以上のように、本発明にかかる空気調和機は冷媒不足の度合いを正確に判定することができるので、回転数制御が可能な圧縮機を使用している冷蔵庫等の用途にも適用できる。
【図面の簡単な説明】
【００４１】
【図１】本発明の実施の形態１における空気調和機の構成図
【図２】本発明の実施の形態１における制御フローチャート
【図３】本発明の実施の形態２における制御フローチャート
【図４】従来の空気調和機サイクルと制御装置の概略図
【符号の説明】
【００４２】
１５  圧縮機
１６  四方弁
１７  室外側熱交換器
１８  減圧膨張弁
１９  室内側熱交換器
２０  室内送風機
２１  室内温度センサ
２２  吹出温度センサ
２４  室内熱交センサ
２５  コントローラー
【図１】
2006194552.tif 000003
【図２】
2006194552.tif 000004
【図３】
2006194552.tif 000005
【図４】
2006194552.tif 000006